(57)【特許請求の範囲】
【請求項１】
第１の周波数帯におけるチヤネル又は第２の周波数帯におけるチヤネルを用いて通信信号を送受する送受信装置であつて、
上記通信信号をデイジタル信号処理するために用いる内部動作クロツクとして、上記第１の周波数帯に対応する高調波を生じさせない周波数でなる第１の内部動作クロツク又は上記第２の周波数帯に対応する高調波を生じさせない周波数でなる第２の内部動作クロツクを生成するクロツク生成部と、
上記第１の周波数帯における上記チヤネルを用いて上記通信信号を送受する場合、上記第１の内部動作クロツクを生成させるように上記クロツク生成部を制御し、上記第２の周波数帯における上記チヤネルを用いて上記通信信号を送受する場合、上記第２の内部動作クロツクを生成させるように上記クロツク生成部を制御するクロツク制御部と
を具えることを特徴とする送受信装置。
【請求項２】
上記クロツク生成部は、上記通信信号をデイジタル信号処理するためのデイジタル・シグナル・プロセツサの内部動作クロツクを生成する
ことを特徴とする請求項１に記載の送受信装置。
【請求項３】
上記クロツク生成部は、デイジタル信号の演算処理によつて所定の回路を制御するための制御部の内部動作クロツクを生成する
ことを特徴とする請求項１に記載の送受信装置。
【請求項４】
上記クロツク制御部は、上記デイジタル・シグナル・プロセツサ内のソフトウエアによつて上記クロツク生成部を制御する
ことを特徴とする請求項２に記載の送受信装置。
【請求項５】
上記クロツク制御部は、上記制御部の制御によつて上記クロツク生成部を制御する
ことを特徴とする請求項３に記載の送受信装置。
【請求項６】
第１の周波数帯におけるチヤネル又は第２の周波数帯におけるチヤネルを用いて通信信号を送受する送受信装置を有し、
上記送受信装置は、
上記通信信号をデイジタル信号処理するために用いる内部動作クロツクとして、上記第１の周波数帯に対応する高調波を生じさせない周波数でなる第１の内部動作クロツク又は上記第２の周波数帯に対応する高調波を生じさせない周波数でなる第２の内部動作クロツクを生成するクロツク生成部と、
上記第１の周波数帯における上記チヤネルを用いて上記通信信号を送受する場合、上記第１の内部動作クロツクを生成させるように上記クロツク生成部を制御し、上記第２の周波数帯における上記チヤネルを用いて上記通信信号を送受する場合、上記第２の内部動作クロツクを生成させるように上記クロツク生成部を制御するクロツク制御部と
を具えることを特徴とする携帯無線機。
【発明の詳細な説明】
【０００１】
【目次】
以下の順序で本発明を説明する。
発明の属する技術分野
従来の技術
発明が解決しようとする課題
課題を解決するための手段
発明の実施の形態（図１〜図４）
（１）第１実施例（図１及び図２）
（２）第２実施例（図３及び図４）
（３）他の実施例
発明の効果
【０００２】
【発明の属する技術分野】
本発明は送受信装置及び携帯無線機に関し、例えばデイジタル携帯電話の受信装置及び携帯無線機に適用して好適なものである。
【０００３】
【従来の技術】
従来、デイジタル携帯電話装置においては、ＴＤＤ／ＦＤＭＡ（Ｔｉｍｅ  Ｄｉｖｉｓｉｏｎ  Ｄｕｐｌｅｘ／Ｆｒｅｑｕｅｎｃｙ  Ｄｉｖｉｓｉｏｎ  Ｍｕｌｔｉｐｌｅ  Ａｃｃｅｓｓ）  方式やＴＤＤ／ＴＤＭＡ（Ｔｉｍｅ  Ｄｉｖｉｓｉｏｎ  Ｄｕｐｌｅｘ／Ｔｉｍｅ  Ｄｉｖｉｓｉｏｎ  Ｍｕｌｔｉｐｌｅ  Ａｃｃｅｓｓ）方式によつて無線回線を接続して通話するようにしたものがある。
例えばＴＤＤ／ＴＤＭＡのデイジタル携帯電話装置には、８００  〔ＭＨｚ  〕帯及び１．５  〔ＧＨｚ  〕帯の使用周波数帯域が設定されている。
すなわち８００  〔ＭＨｚ  〕帯の使用周波数帯域として８１０  〔ＭＨｚ  〕〜８２６  〔ＭＨｚ  〕を設定して、さらに１．５  〔ＧＨｚ  〕帯の使用周波数帯域として１４７７〔ＭＨｚ  〕〜１５０１〔ＭＨｚ  〕を設定して各周波数帯域を２５〔ｋＨｚ  〕間隔に周波数分割して通信チヤネルを割り当てている。
【０００４】
このようなデイジタル携帯電話装置では、送受信される音声データ信号を、１つの音を例えば２４ビツト単位のデータに対応させて一定単位のデータを効率良くバツチ処理するのに適したＤＳＰ（Ｄｉｇｉｔａｌ  Ｓｉｇｎａｌ  Ｐｒｏｃｅｓｓｏｒ  、デイジタル・シグナル・プロセツサ）  を用いて処理している。
【０００５】
【発明が解決しようとする課題】
ところでかかる構成のデイジタル携帯電話装置においては、内部動作クロツクの高調波が発生し、この高調波によつて特定の受信チヤネルに対して感度抑圧が発生するという問題がある。すなわち例えばＤＳＰの内部動作クロツクの周波数が４０．３２  〔ＭＨｚ  〕の場合、その３７倍の１４９１．８４  〔ＭＨｚ  〕の高調波が、１．５  〔ＧＨｚ  〕帯の受信チヤネル（５９４ＣＨ）  の受信周波数付近に発生して、この受信チヤネルに対して感度抑圧が発生する。この場合、感度抑圧を防ぐには高調波の出る信号ラインにコンデンサを接続したり、或いは電磁シールドを施さなければならないため部品点数が増えるという問題がある。
【０００６】
ここでＤＳＰに設定する内部動作クロツクの周波数としては、４０〔ＭＨｚ  〕以上の高いクロツク周波数が求められる一方において、あまり高いクロツク周波数を設定すると内部消費電力が増大するという問題がある。このためＤＳＰの内部動作クロツク周波数は、特定の周波数範囲に限定されることになり、このような条件の中で全ての受信チヤネルに対して感度抑圧を与えるのを回避するようなクロツク周波数を設定するのは難しいという実情がある。
【０００７】
本発明は以上の点を考慮してなされたもので、簡易な構成によつて装置内の回路の内部動作クロツクによる受信信号の感度抑圧を防止することのできる送受信装置及び携帯無線機を提案しようとするものである。
【０００８】
【課題を解決するための手段】
かかる課題を解決するため本発明においては、第１の周波数帯におけるチヤネル又は第２の周波数帯におけるチヤネルを用いて通信信号を送受する送受信装置であつて、通信信号をデイジタル信号処理するために用いる内部動作クロツクとして、第１の周波数帯に対応する高調波を生じさせない周波数でなる第１の内部動作クロツク又は第２の周波数帯に対応する高調波を生じさせない周波数でなる第２の内部動作クロツクを生成するクロツク生成部と、第１の周波数帯におけるチヤネルを用いて通信信号を送受する場合、第１の内部動作クロツクを生成させるようにクロツク生成部を制御し、第２の周波数帯におけるチヤネルを用いて通信信号を送受する場合、第２の内部動作クロツクを生成させるようにクロツク生成部を制御するクロツク制御部とを設けるようにした。
これにより、第１の周波数帯を用いて通信信号を送受する場合には当該第１の周波数帯における全てのチヤネルに対して感度抑圧が発生しないようにすることができ、また第２の周波数帯を用いて通信信号を送受する場合には当該第２の周波数帯における全てのチヤネルに対して感度抑圧が発生しないようにすることができる。
【０００９】
【発明の実施の形態】
以下図面について、本発明の一実施例を詳述する。
【００１０】
図１において、１は全体としてデイジタル携帯電話装置を示し、入出力インターフエイスであるＭＭＩ（Ｍａｎｍａｃｈｉｎｅ  Ｉｎｔｅｒｆａｃｅ）２を介してユーザによる制御命令が装置全体を制御するためのＣＰＵ（Ｃｅｎｔｒａｌ  Ｐｒｏｃｅｓｓｉｎｇ  Ｕｎｉｔ）  ３に送出される。
ＣＰＵ３は、ＭＭＩ２を通じて入力されるユーザの操作命令に応じてメモリ４内に格納された制御用のプログラムに従つて変復調及び音声符号化／復号処理するためのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）  回路５及び音声データを圧縮伸張処理するためのＤＳＰ６を制御して送受信データを処理する。
【００１１】
またＣＰＵ３は、ＭＭＩ２の入力キー等から入力される電話番号等の入力データをメモリ４に蓄えさせるとともに、ユーザの操作に応じてＭＭＩ２を制御し、ＬＣＤ等の表示部（図示せず）を通じてデータを出力表示する。
【００１２】
デイジタル携帯電話装置１では送信データＳ１の送信時、マイク（図示せず）等の音声入力部を介して入力された送信データＳ１をまず、ＡＳＩＣ回路５のコーデツク１０によつてＡ／Ｄ（Ａｎａｌｏｇ／Ｄｉｇｉｔａｌ）変換して、このデイジタル送信データＳ１１をＤＳＰ６に送出する。ＤＳＰ６では音声圧縮／伸張回路１１によつて送信データを音声圧縮した後、再びＡＳＩＣ回路５に送出する。
ＡＳＩＣ回路５では変調回路１２によつて送信データを直交変調して、これによつて得られる変調信号Ｓ１２をＲＦ回路７に送出する。ＲＦ回路７では、変調信号Ｓ１２をアツプコンバートしてアンプ（図示せず）を介して増幅した後、アンテナ切換えスイツチ（図示せず）を介してアンテナＡＮより送信する。
【００１３】
また受信時においては、アンテナＡＮで受信した受信データＳ２をＲＦ回路７においてまず、第１ローカル信号によつて第１中間周波にダウンコンバートして、さらにその第１中間周波を第２ローカル信号によつて変調信号Ｓ２１に変調してＡＳＩＣ回路５に送出する。ＡＳＩＣ回路５では、復調回路１３によつて変調信号Ｓ２１を復調してＤＳＰ６に送出する。
ＤＳＰ６は復調された受信データ信号を音声圧縮／伸張回路１１によつて音声伸張した後、再びＡＳＩＣ回路５に送出する。ＡＳＩＣ回路５はコーデツク１０によつて伸張されたデイジタル音声データをＤ／Ａ（Ｄｉｇｉｔａｌ／Ａｎａｌｏｇ）変換することによつて、アナログ音声信号としてアンプ（図示せず）を介して増幅した後、スピーカ（図示せず）を通じて出力する。
【００１４】
ここでデイジタル信号処理するためのＡＳＩＣ回路５、ＣＰＵ３及びＤＳＰ６の各内部動作クロツクは、それぞれ水晶振動子ＸＬの発振周波数ｆ１をもとに分周、逓倍してつくられている。すなわち水晶振動子ＸＬの１０．７５２〔ＭＨｚ  〕の発振周波数ｆ１をＡＳＩＣ回路５に送出して１／２  に分周した後、ＤＳＰ６及びＣＰＵ３それぞれに送出する。各ＤＳＰ６及びＣＰＵ３においては、１／２  に分周された５．３７６  〔ＭＨｚ  〕の周波数を逓倍してそれぞれ内部動作クロツクの周波数を生成するようになされている。
【００１５】
ＤＳＰ６の内部動作クロツクの周波数は図２に示すクロツク周波数の設定手順（１）に従つて設定する。すなわちクロツク周波数の設定手順は、まずステツプＳＰ１において、ＣＰＵ３が内部ソフトウエアによつて、ＣＰＵ３の入力ポートをみることによつてデイジタル携帯電話装置１の受信周波数帯域を判別すると、次のステツプＳＰ２において、デイジタル携帯電話装置２０の受信周波数帯域が１．５  〔ＧＨｚ  〕帯であつた場合、ＤＳＰ６に設けられた制御用の入力ポート１４のレベルをハイレベル「Ｈ」に設定し、また受信周波数帯域は８００  〔ＭＨｚ  〕帯であつた場合は入力ポート１４のレベルをローレベル「Ｌ」に設定する。そしてステツプＳＰ３においてＤＳＰ６は入力ポート１４のレベルに応じて、レベルが「Ｈ」であつた場合、ステツプＳＰ４に移つて内部のクロツク制御部１７を介して周波数シンセサイザ１５のＰＬＬ１６を制御することによつて、１／２  に分周された発振周波数ｆ１を８逓倍して内部動作クロツクの周波数として出力する。この結果、ＤＳＰ６の内部動作クロツクの周波数ｆ２は次式、
【数１】
0003622876.tif 000002
により４３．００８〔ＭＨｚ  〕に設定される。この場合、内部動作クロツクの周波数ｆ２を４３．００８〔ＭＨｚ  〕に設定したことによつて１．５  〔ＧＨｚ  〕帯の全ての受信チヤネルに対して内部動作クロツクの高調波による感度抑圧が発生するのを未然に防止することができる。
【００１６】
またステツプＳＰ３において、入力ポート１４のレベルがローレベル「Ｌ」であつた場合、ステツプＳＰ５に移り、ＣＰＵ３によりＤＳＰ内部のクロツク制御部１７を介して周波数シンセサイザ１５のＰＬＬ１６を制御することによつて、１／２  に分周された発振周波数ｆ１を  ７．５倍して内部動作クロツクの周波数として出力する（このときデイジタル携帯電話装置１の受信周波数帯域は８００  〔ＭＨｚ  〕帯とする）。この結果、ＤＳＰ６の内部動作クロツクの周波数ｆ２は次式、
【数２】
0003622876.tif 000003
により４０．３２  〔ＭＨｚ  〕に設定される。この場合、内部動作クロツクの周波数ｆ２を４０．３２  〔ＭＨｚ  〕に設定したことによつて８００  〔ＭＨｚ  〕帯の全ての受信チヤネルに対して内部動作クロツクの高調波による感度抑圧が発生するのを未然に防止することができる。
【００１７】
ステツプＳＰ４及びＳＰ５によつて受信周波数帯域に応じた内部動作クロツクの周波数が設定されると、ＤＳＰ６の処理はステツプＳＰ６に移つて内部動作クロツクに基づいたＤＳＰ６によるデイジタルデータに対する通常処理を実行する。
【００１８】
以上の構成において、ＣＰＵ３はクロツク周波数の設定手順（１）に従つて読み出したＣＰＵ３の入力ポートのレベルに基づいて、使用する受信周波数帯域が１．５  〔ＧＨｚ  〕帯であるか又は８００  〔ＭＨｚ  〕帯であるかを判別し、この判別結果に応じて、クロツク制御部１７を制御することによつてＤＳＰ６の内部動作クロツクの周波数を受信周波数帯域が１．５  〔ＧＨｚ  〕帯の場合は、４３．００８〔ＭＨｚ  〕、また受信周波数帯域が８００  〔ＭＨｚ  〕帯の場合は、４０．３２  〔ＭＨｚ  〕に設定する。
【００１９】
このようにＣＰＵ制御によつて受信周波数帯域に応じて受信周波数帯域内の全ての受信チヤネルについて内部動作クロツクの高調波による感度抑圧が発生しないようにＤＳＰ６の内部動作クロツクの周波数を設定するようにしたことにより、感度抑圧を防止するためにコンデンサを信号ラインに接続したり、電磁シールド等の対策を施す必要がなくなる。さらにこの場合、１つのＤＳＰ６を１．５  〔ＧＨｚ  〕帯又は８００  〔ＭＨｚ  〕帯のデイジタル携帯電話装置に共通に用いて、使用される全ての受信周波数帯域において感度抑圧の発生を防止することのできるデイジタル携帯電話装置を実現し得る。
【００２０】
以上の構成によれば、ＣＰＵ３により受信周波数帯域を判別し、ＤＳＰ６の入力ポート１４のレベルを設定し、当該レベルに応じてＤＳＰ６がクロツク制御部１７の制御によつて内部動作クロツクの周波数を設定する簡易な構成によつて、使用する受信周波数帯域内の全ての受信チヤネルに対して内部動作クロツクの高調波による感度抑圧が発生しないようにすることができる。
さらに上述の実施例によれば、１つのＤＳＰ６を２つ以上の受信周波数帯域について共通に用いて、各帯域において感度抑圧の発生を防止することができ、かくして一つのＤＳＰ６を異なつた受信周波数帯域の設定された受信装置に対して汎用に用いることができる。
【００２１】
（２）第２実施例
図１との対応部分に同一符号を符して示す、図３において２０は第２実施例によるデイジタル携帯電話装置を示し、受信周波数帯域に応じて設定される固定抵抗Ｒ１及びＲ２、並びに当該固定抵抗Ｒ１及びＲ２を制御用の入力ポートへ切り換え接続するための切換えスイツチＳＷを設けた構成を除いて、第１実施例のデイジタル携帯電話装置１と同じ構成としている。
【００２２】
ＤＳＰ６の内部動作クロツクの周波数は図４に示すクロツク周波数の設定手順に従つて設定する。すなわちクロツク周波数の設定手順は、まずステツプＳＰ１０において、ＤＳＰ２１が内部ソフトウエアによつてＤＳＰ６の内部動作クロツクの切換判別用の入力ポート１４のレベルをリードして制御用ポートのレベルを判定する。
ここでステツプＳＰ１１において、入力ポート１４のレベルがハイレベル「Ｈ」であつた場合、ステツプＳＰ１２に移つて、ＣＰＵ３によつてＤＳＰ２１の内部のクロツク制御２２を介して周波数シンセサイザ１５のＰＬＬ１６を制御することによつて、１／２  に分周された発振周波数ｆ１を８逓倍して内部動作クロツクの周波数として出力する（このときデイジタル携帯電話装置１の受信周波数帯域は１．５  〔ＧＨｚ  〕帯とする）。この結果、ＤＳＰ２１の内部動作クロツクの周波数ｆ２は次式、
【数３】
0003622876.tif 000004
により４３．００８〔ＭＨｚ  〕に設定される。この場合、内部動作クロツクの周波数ｆ２を４３．００８〔ＭＨｚ  〕に設定したことによつて１．５  〔ＧＨｚ  〕帯の全ての受信チヤネルに対して内部動作クロツクの高調波による感度抑圧が発生するのを未然に防止することができる。
【００２３】
またステツプＳＰ１１において、入力ポート１４のレベルがローレベル「Ｌ」であつた場合、ステツプＳＰ１３に移り、ＣＰＵ３によりＤＳＰ内部のクロツク制御部２２を介して周波数シンセサイザ１５のＰＬＬ１６を制御することによつて、１／２  に分周された発振周波数ｆ１を  ７．５倍して内部動作クロツクの周波数として出力する（このときデイジタル携帯電話装置２０の受信周波数帯域は８００  〔ＭＨｚ  〕帯とする）。この結果、ＤＳＰ２１の内部動作クロツクの周波数ｆ２は次式、
【数４】
0003622876.tif 000005
により４０．３２  〔ＭＨｚ  〕に設定される。この場合、内部動作クロツクの周波数ｆ２を４０．３２  〔ＭＨｚ  〕に設定したことによつて８００  〔ＭＨｚ  〕帯の全ての受信チヤネルに対して内部動作クロツクの高調波による感度抑圧が発生するのを未然に防止することができる。
【００２４】
ステツプＳＰ１２及びＳＰ１３によつて受信周波数帯域に応じた内部動作クロツクの周波数が設定されると、ＤＳＰ２１の処理はステツプＳＰ１４に移つて内部動作クロツクに基づいたＤＳＰ２１によるデイジタルデータに対する通常処理を実行する。
【００２５】
以上の構成において、ＤＳＰ２１は内部ソフトウエアに従つて内部動作クロツクの制御用の入力ポート１４のレベルをリードすることによつて入力ポート１４のレベルを判定する。すなわちデイジタル携帯電話装置２０の受信周波数帯域が１．５  〔ＧＨｚ  〕帯の場合、切換えスイツチＳＷは入力ポート１４が電源側の固定抵抗Ｒ１に接続してプルアツプするように切り換えられているので、ＤＳＰ２１の内部ソフトウエアは入力ポート１４のレベルがハイレベル「Ｈ」であると判別する。
この場合、クロツク制御部２２の制御により周波数シンセサイザ１５のＰＬＬ１６を制御して１／２  に分周された発振周波数ｆ１を８逓倍して内部動作クロツクの周波数を４３．００８〔ＭＨｚ  〕に設定して出力する。このように第１実施例と同様にクロツク周波数を４３．００８〔ＭＨｚ  〕に設定したことによつて１．５  〔ＧＨｚ  〕帯の全ての受信チヤネルに対して内部動作クロツクの高調波による感度抑圧が発生するのを未然に防止することができる。
【００２６】
またデイジタル携帯電話装置２０の受信周波数帯域が８００  〔ＭＨｚ  〕帯の場合、入力ポート１４が接地側の固定抵抗Ｒ２に接続してプルダウンするように切り換えられているのでＤＳＰ２１の内部ソフトウエアは入力ポート１４のレベルがレベルがローレベル「Ｌ」であると判別する。この場合、ＤＳＰ２１は内部ソフトウエアに従つてクロツク制御部２２により周波数シンセサイザ１５のＰＬＬ１６を制御して、１／２  に分周された発振周波数ｆ１を  ７．５倍して内部動作クロツクの周波数を４０．３２  〔ＭＨｚ  〕に設定して出力する。このようにクロツク周波数を４０．３２  〔ＭＨｚ  〕に設定したことによつて８００  〔ＭＨｚ  〕帯の全ての受信チヤネルに対して内部動作クロツクの高調波による感度抑圧が発生するのを未然に防止することができる。
【００２７】
以上の構成によれば、ＤＳＰ２１は内部ソフトウエアに従い、ＤＳＰ２１の入力ポート１４の入力レベルの判別結果に応じてＤＳＰ２１の内部動作クロツクの周波数をクロツク制御部２２によつて切り換え制御するようにしたことにより、受信チヤネルに対して内部動作クロツクの高調波による感度抑圧が発生するのを未然に防止することができ、かくして第１実施例と同様の効果を得ることができる。
【００２８】
（３）他の実施例
なお上述の実施例においては、内部動作クロツクの周波数を、使用する受信周波数帯域に応じて可変に設定した場合について述べたが、本発明はこれに限らず、受信装置において、使用する受信チヤネルの周波数に応じて内部動作クロツクの周波数を可変に切り換えて設定するようにしても良い。これにより上述の実施例と同様の効果が得られる。
【００２９】
また上述の実施例においては、ＤＳＰ６の内部動作クロツクの周波数を切り換え制御した場合について述べたが、本発明はこれに限らず、例えばＣＰＵ３の内部動作クロツクの高調波が受信チヤネルに干渉する場合において、ＣＰＵ３の内部動作クロツクの周波数を切り換え制御する場合に用いても良く、要はＤＳＰ６以外においてもデイジタル信号処理回路の内部動作クロツクの周波数を切り換え制御する場合に適用し得、これにより上述の実施例のような効果を得ることができる。
【００３０】
また上述の実施例においては、受信信号の受信時に内部動作クロツク周波数を切り換え制御した場合について述べたが、本発明はこれに限らず、送信時において送信信号の周波数に応じて内部動作クロツク周波数を切り換え制御するようにしても良く、これにより特定の送信信号に対する内部動作クロツクの干渉を防止することもできる。
【００３１】
さらに上述の実施例においては、デイジタル携帯電話装置において受信チヤネルの感度抑圧を防止する場合について述べたが、本発明はこれに限らず、広く内部で信号をデイジタル信号処理する受信装置一般について回路内部の動作クロツクの周波数を受信信号の周波数に応じて切り換え制御するのに適用し得、これにより上述の実施例と同様の効果を得ることができる。
【００３２】
【発明の効果】
上述のように本発明によれば、第１の周波数帯のチヤネルを用いて通信信号を送受する場合には、当該第１の周波数帯に対応する高調波を生じさせない周波数でなる第１の内部動作クロツクを生成するようにし、これに対して第２の周波数帯のチヤネルを用いて通信信号を送受する場合には、第２の周波数帯に対応する高調波を生じさせない周波数でなる第２の内部動作クロツクを生成するようにしたことにより、第１の周波数帯を用いて通信信号を送受する場合には当該第１の周波数帯における全てのチヤネルに対して感度抑圧が発生しないようにすることができ、また第２の周波数帯を用いて通信信号を送受する場合には当該第２の周波数帯における全てのチヤネルに対して感度抑圧が発生しないようにすることができる。この結果、簡易な構成により通信信号の感度抑圧を防止し得る送受信装置及び携帯無線機を実現することができる。
【図面の簡単な説明】
【図１】本発明による第１実施例のデイジタル携帯電話装置の全体構成を示すブロツク図である。
【図２】内部動作クロツクの周波数設定手順を示すフローチヤートである。
【図３】本発明による第２実施例のデイジタル携帯電話装置の全体構成を示すブロツク図である。
【図４】内部動作クロツクの周波数設定手順を示すフローチヤートである。
【符号の説明】
１、２０……デイジタル携帯電話装置、２……ＭＭＩ、３……ＣＰＵ、４……メモリ、５……ＡＳＩＣ回路、６、２１……ＤＳＰ、７……ＲＦ回路、１４……入力ポート、１５……周波数シンセサイザ、１６……ＰＬＬ、２２……クロツク制御部、Ｒ１、Ｒ２……固定抵抗、ＳＷ……スイツチ。
【図１】
0003622876.tif 000006
【図２】
0003622876.tif 000007
【図３】
0003622876.tif 000008
【図４】
0003622876.tif 000009